(57)【特許請求の範囲】
【請求項１】
被検者が横たわる天板と、それを保持して起倒回転する主枠と、前記天板を挟んで対向するように前記主枠に取り付けられるＸ線管と前記天板下部に配設された平面形状をした受像部とを備えるオーバーチューブタイプのＸ線透視撮影台において、前記受像部を天板短手方向に天板を外れた位置までスライドすることができ、かつ天板長手方向の軸に対してＸ線管方向に回転することができる、前記天板下部において前記主枠に保持された機構と、前記Ｘ線管のＸ線放射方向を受像部の中心に回転することができる機構とを備えることを特徴とするＸ線透視撮影台。
【発明の詳細な説明】
【０００１】
【発明の属する技術分野】
本発明は、Ｘ線透視撮影台に係わり、特に、Ｘ線管焦点と受像部間距離を伸ばすことができる透視撮影機構に関する。
【０００２】
【従来の技術】
Ｘ線透視撮影台にはオーバチューブタイプとアンダーチューブタイプがある。オーバチューブタイプの透視撮影台は、図４に示すように、基台１に起倒回転フレーム２を備えて、その上部に被検者３を載せる天板４を有し、天板４を水平位から立位の状態まで回転することができ、Ｘ線管６が天板４の上にあり、それに対向して、スポット撮影装置やイメージングシステム（受像部７）が天板４の下に、枠１３のレール１０に保持されたものである。
このタイプの透視撮影台はＸ線管６が天板４より離れた位置にあるため、天板４の上部空間が大きく、被検者の観察が容易であり、さらに被検者の体位変換なども行いやすい。また、被検者に対する多種の診断（例えばミエログラフィやＩＶＲ）を行う場合や、他の診断（例えば内視鏡診断や超音波診断）を併用する場合に便利である。特に、Ｘ線透視撮影台にて胸部Ｘ線撮影を行う場合は、被検者に対しＸ線管を遠ざけて（引き伸ばし機構等）、もしくは別途カセッテ保持機構（立位式撮影台等）を近傍に備え、その方向にＸ線照射方向を変更（Ｘ線管の首振り機構）する方法で行われ、Ｘ線管焦点から受像部間距離を伸ばすことにより広範囲で比較的ボケの少ない撮影を可能としている。
【０００３】
【発明が解決しようとする課題】
従来のＸ線透視撮影台は以上のように構成されているが、引き伸ばし機構型は装置構成上、Ｘ線管６の焦点から受像部７までの距離が、引き伸ばすのに限界があり、装置が大型化してくる。また、首振り機構型は別途カセッテ保持機構として、立位式撮影台等を備えなければならないという問題がある。
【０００４】
本発明は、このような事情に鑑みてなされたものであって、装置を大きくすることなく、また、別途カセッテ保持機構等を備えなくても、透視撮影台のみで、Ｘ線管６の焦点から受像部７までの距離を伸ばし、比較的ボケの少ない撮影を可能とし、胸部撮影ができるＸ線透視撮影台を提供することを目的とする。
【０００５】
【課題を解決するための手段】
上記の目的を達成するため本発明Ｘ線透視撮影台は、被検者が横たわる天板と、それを保持して起倒回転する主枠と、前記天板を挟んで対向するように前記主枠に取り付けられるＸ線管と前記天板下部に配設された平面形状をした受像部とを備えるオーバーチューブタイプのＸ線透視撮影台において、前記受像部を天板短手方向に天板を外れた位置までスライドすることができ、かつ天板長手方向の軸に対してＸ線管方向に回転することができる、前記天板下部において前記主枠に保持された機構と、前記Ｘ線管のＸ線放射方向を受像部の中心に回転することができる機構とを備えるものである。
【０００６】
本発明のＸ線透視撮影台は上記のように構成されており、透視撮影に使用する受像部を、天板短手方向に天板を外れた位置までスライドさせ、そして天板長手方向の軸に対し回転し、一方、Ｘ線管からのＸ線放射方向が、受像部の中心に向くように、Ｘ線管を首振りすることで、装置を大きくすることなく、また、別途カセッテ保持機構等を備えなくても、透視撮影台のみで、Ｘ線管の焦点から受像部までの距離を伸ばし、比較的ボケの少ない胸部撮影をすることができる。
【０００７】
【発明の実施の形態】
本発明のＸ線透視撮影台の一実施例を図１を参照しながら説明する。図１の（ａ）は天板４の長手方向の側面から見た水平位の透視撮影台を示す。図１の（ｂ）は被検者３を天板４に載せ、足の方向から見た側面図を示す。本透視撮影台は、基台１に起倒回転フレーム２を備えて、その上部に被検者３を載せる天板４を有し、天板４を水平位から立位の状態まで回転することができ、Ｘ線管６が天板４の上にあり、それに対向して、平面形状の受像部７が天板４の下に、支持フレーム５の枠のレールＡ８・レールＢ９に保持されたものである。そして、図１の（ｂ）に示すように、平面形状の受像部７は天板短手方向（ａ方向）に天板４を外れた位置までスライドさせ、そして天板４の長手方向の軸に対し回転（ｃ方向）し、一方、Ｘ線管６からのＸ線放射方向が受像部７の中心に向くように、Ｘ線管６を首振り（ｄ方向）することができる。
【０００８】
図２に、受像部７が支持フレーム５の枠に取り付けられたレールＡ８とレールＢ９にガイドされ、スライドして手前（ａ方向）に引き出された状態の斜視図を示す。
図３に、受像部７が手前（ａ方向）に引き出され、天板４の長手方向の軸に対し回転（ｃ方向）した状態の断面図を示す。
受像部７が保持されている機構について図２、図３により説明する。両側に支持フレーム５の枠を備え、その両枠に平面形状の受像部７を格納するレールＡ８とレールＢ９が取り付けられており、レールＡ８とレールＢ９は所定の間隔をあけて取り付けられ、レールＢ９は支持フレーム５の枠に回転軸ｂを介して取り付けられ、レールＢ９にバネ１１が設けられて、受像部７を手前に最後までａ方向に引くと、その力に逆らうように反発する機能を有する。そしてａ方向に受像部７を天板４から外れた位置までスライドさせ、バネ１１の反発力を受けながら、天板４の長手方向の軸に対し、回転軸ｂを軸にして回転（ｃ方向）させ、支持フレーム５の枠に取り付けられた角度固定ピン１２に、受像部７の枠の端部に設けられたＶ形状のＶ溝１４を嵌めこみ、受像部７の正面をＸ線管６の方向にセットする。
一方、Ｘ線管６の支持フレーム５の保持バンド（図示せず）を緩め、Ｘ線管をｄ方向に回転させてコリメータの方向を受像部７のセンターに向け、Ｘ線管６の保持バンドを締め固定することができる。
【０００９】
受像部７を手前に引き出し、Ｘ線管６の方向に回転させてセットした場合、図１の（ｂ）に示すように、受像部７を引き出す元の位置では、Ｘ線管６の焦点から受像部７の正面までの距離はＬ１であるが、受像部７を手前に引き出しＸ線管６の方向に回転セットした位置では、Ｘ線管６の焦点から受像部７の正面までの距離はＬ２となり、Ｌ２−Ｌ１の分だけ遠くなる。被検者３のある１点から受像部７までの距離をＨ、Ｘ線管６の焦点サイズをＳすると、Ｘ線管６の焦点サイズによる半影ボケは、受像部７を引き出す元の位置では、Ｈ×Ｓ／（Ｌ１−Ｈ）となり、一方、受像部７を引き出した位置では、Ｈ×Ｓ／（Ｌ２−Ｈ）となりその縮小比率は（Ｌ２−Ｈ）／（Ｌ１−Ｈ）となる。この縮小比率でＸ線管６の焦点による半影ボケが減少することになる。
【００１０】
次に受像部７を引き出した位置での胸部撮影の方法を説明する。まず、受像部７を支持フレーム５の枠に収納した状態にして、透視撮影台を起倒させ立位の状態にする。そして受像部７を手前に引き出し、バネ１１の力による反発を感ずるところまで出し、受像部７をＸ線管６の方向に回転させ、そして引く力を緩める。受像部７はＸ線管６の方向に向いて、受像部７の端部のＶ溝１４が支持フレーム５の枠に取り付けられた角度固定ピン１２に嵌りこみ、受像部７は固定される。そして、Ｘ線管６の支持フレーム５の保持バンド（図示せず）を緩め、Ｘ線管をｄ方向に回転させてコリメータの方向を受像部７のセンターに向け、Ｘ線管６の保持バンドを締め固定する。次に被検者３を受像部７に向かわせ、受像部に胸部を接触させるような体位にさせる。術者は被検者３から離れ、被検者３に“大きく息を吸って、息を止めて”と声を掛けてＸ線を照射して撮影する。撮影終了後受像部７をもとの位置に収納しておく。このようにして撮影した胸部Ｘ線画像はＸ線管６の焦点サイズによる半影ボケが少なくて、鮮明なＸ線画像を得ることができる。
【００１１】
上記の実施例では、受像部７の出し入れ、及びＸ線管６の首振りは、手動で行ったが、この駆動を電動で行っても良い。
【００１２】
【発明の効果】
本発明のＸ線透視撮影台は上記のように構成されており、透視撮影に使用する受像部を、天板短手方向に天板を外れた位置までスライドさせ、そして天板長手方向の軸に対し回転し、一方、Ｘ線管からのＸ線放射方向が、受像部の中心に向くように、Ｘ線管を首振りすることで、装置を大きくすることなく、また、別途カセッテ保持機構等を備えなくても、透視撮影台のみで、Ｘ線管の焦点から受像部までの距離を伸ばし、比較的ボケの少ない胸部撮影をすることができる。
【図面の簡単な説明】
【図１】  本発明のＸ線透視撮影台の一実施例を示す図である。
【図２】  本発明のＸ線透視撮影台の受像部の引出し機構図を示す図である。
【図３】  本発明のＸ線透視撮影台の受像部引出し後の回転した状態を示す図である。
【図４】  従来のＸ線透視撮影台を示す図である。
【符号の説明】
１…基台                            ２…起倒回転フレーム
３…被検者                          ４…天板
５…支持フレーム                    ６…Ｘ線管
７…受像部                          ８…レールＡ
９…レールＢ                      １０…レール
１１…バネ                          １２…角度固定ピン
１３…枠                            １４…Ｖ溝
【図１】
0004345121.tif 000002
【図２】
0004345121.tif 000003
【図３】
0004345121.tif 000004
【図４】
0004345121.tif 000005